(57)【要約】【課題】  円偏光板を適用する垂直配向方式の液晶表示装置において、斜め方向から観察した場合の光漏れを軽減し、高いコントラスト比を達成できる液晶表示装置を提供すること。【解決手段】  初期配向状態が垂直配向の液晶層２１を用いた垂直配向モードを適応している。液晶セル２８の外側に配置されている、第１の偏光板２９と第２の偏光板３０の液晶セル２８側の保護層を全方位にわたってほぼ等方的な光学特性を示すフィルムを使用し、さらに第１の位相差板３１と第４の位相差板３４のＮｚ係数を１未満の位相差板を使用した構成とする。【選択図】図１
2006284624.tif 000002
【特許請求の範囲】
【請求項１】
第１の基板と第２の基板と、
前記第１の基板と前記第２の基板に挟持された液晶層と、
前記第１の基板に対して前記液晶層が配置された側の反対側に配置する第１の偏光板と、
前記第２の基板に対して前記液晶層が配置された側の反対側に配置する第２の偏光板と、
前記第１の基板と前記第１の偏光板の間、及び前記第２の基板と前記第２の偏光板の間にそれぞれ一枚以上配置された位相差板と、
前記第１の基板と前記第２の基板のどちらか一方の基板上の前記液晶層側に配置された画素電極と、
前記第１の基板と前記第２の基板のどちらか他方の基板上の前記液晶層側に配置された対向電極と、を有し、
前記液晶層は、電圧が印加されていないとき、液晶分子の長軸が前記第１の基板及び前記第２の基板に対してほぼ垂直に配向している液晶表示装置であって、
前記第１の偏光板及び第２の偏光板は偏光層と、前記偏光層を挟持する一対の保護層とを有し、
前記第１の偏光板及び第２の偏光板の前記液晶層が配置された側に配置された保護層の厚さ方向のリタデーションＲthが−５ｎｍ以上５ｎｍ以下であることを特徴とする液晶表示装置。
【請求項２】
第１の基板と第２の基板と、  
前記第１の基板と前記第２の基板に挟持された液晶層と、
前記第１の基板に対して前記液晶層が配置された側の反対側に配置する第１の偏光板と、
前記第２の基板に対して前記液晶層が配置された側の反対側に配置する第２の偏光板と、
前記第１の基板と前記第１の偏光板の間、及び前記第２の基板と前記第２の偏光板の間にそれぞれ一枚以上配置された位相差板と、
前記第１の基板と前記第２の基板のどちらか一方の基板上の前記液晶層側に配置された画素電極と、
前記第１の基板と前記第２の基板のどちらか他方の基板上の前記液晶層側に配置された対向電極と、を有し、
前記液晶層は、電圧が印加されていないとき、液晶分子の長軸が前記第１の基板及び前記第２の基板に対してほぼ垂直に配向している液晶表示装置であって、
前記第１の偏光板及び第２の偏光板は偏光層と前記偏光層に対して前記液晶層が配置された側の反対側にのみ配置された保護層とを有することを特徴とする液晶表示装置。
【請求項３】
第１の基板と第２の基板と、
前記第１の基板と前記第２の基板に挟持された液晶層と、
前記第１の基板に対して前記液晶層が配置された側の反対側に配置する第１の偏光板と、
前記第２の基板に対して前記液晶層が配置された側の反対側に配置する第２の偏光板と、
前記第１の基板と前記第１の偏光板の間、及び前記第２の基板と前記第２の偏光板の間にそれぞれ一枚以上配置された位相差板と、
前記第１の基板と前記第２の基板のどちらか一方の基板上の前記液晶層側に配置された画素電極と、
前記第１の基板と前記第２の基板のどちらか他方の基板上の前記液晶層側に配置された対向電極と、を有し、
前記液晶層は、電圧が印加されていないとき、液晶分子の長軸が前記第１の基板及び前記第２の基板に対してほぼ垂直に配向している液晶表示装置であって、
前記第１の基板と前記第１の偏光板の間、及び前記第２の基板と前記第２の偏光板の間にそれぞれポジティブＣ−Plate を有することを特徴とする液晶表示装置。
【請求項４】
マトリクス状に配置された複数の画素を有し、
前記複数の画素のそれぞれは、透過領域と反射領域とを有することを特徴とする請求項１乃至３に記載の液晶表示装置。
【請求項５】
前記位相差板は、前記液晶層が配置された側に１／４波長の位相差を持つ第１の位相差板と、前記第１の偏光板及び前記第２の偏光板が配置された側に１／２波長の位相差を持つ第２の位相差板と、を有することを特徴とする請求項１乃至３に記載の液晶表示装置。
【請求項６】
前記第１の基板と前記位相差板、及び前記第２の基板と前記位相差板との間にネガティブＣ−Plate を有することを特徴とする請求項１乃至３に記載の液晶表示装置。
【請求項７】
前記位相差板は、前記液晶層が配置された側に１／４波長の位相差を持つ第１の位相差板と、前記第１の偏光板及び前記第２の偏光板が配置された側に１／２波長の位相差を持つ第２の位相差板と、を有し、
前記第２の位相差板のＮｚ係数が０以上１未満であることを特徴とする請求項１乃至３に記載の液晶表示装置。
【請求項８】
前記第１の基板上もしくは前記第２の基板上に信号線と走査線を有し、前記信号線と前記走査線が交差する場所に薄膜トランジスタを有することを特徴とする請求項１乃至３に記載の液晶表示装置。
【請求項９】
前記第１の基板もしくは前記第２の基板に対して前記液晶層が配置された側にカラーフィルタが配置されている請求項１乃至３に記載の液晶表示装置。
【請求項１０】
前記第１の基板及び前記第２の基板のうちどちらか一方、もしくは両方の基板が高分子材料からなることを特徴とする請求項１乃至３に記載の液晶表示装置。
【請求項１１】
前記第１の基板及び前記第２の基板のどちらか一方、もしくはその両方が、それぞれ１／４波長の位相差を有する、もしくは１／２波長の位相差を有することを特徴とする請求項１乃至３に記載の液晶表示装置。
【請求項１２】
前記第１の基板及び前記第２の基板のどちらか一方、もしくはその両方が、面内方向の屈折率差がほぼゼロで厚み方向の屈折率が面内方向よりも大きい光学的に正の屈折率楕円体である機能を有することを特徴とする請求項１または２に記載の液晶表示装置。
【発明の詳細な説明】
【技術分野】
【０００１】
本発明は画像を表示する液晶表示装置に関する。
【背景技術】
【０００２】
液晶表示装置は、光の透過光量を調節することで画像を表示する非発光型のディスプレイであり、薄型，軽量，低消費電力といった特徴を有する。
【０００３】
液晶表示装置には、背面に光源（以下バックライトと呼ぶ）を配置し、そのバックライトの透過光量を調節することで画像を表示する透過型液晶表示装置と、室内照明や太陽光等の外光を利用しディスプレイの表側から外光を入射させ、その反射光量を調節することで画像を表示する反射型液晶表示装置がある。また、明るい環境では反射型表示装置として用い、暗い環境では透過型表示装置として用いることができる液晶表示装置（以下半透過型液晶表示装置と呼ぶ）がある。半透過型液晶表示装置は反射型と透過型の両表示機能を兼ね備え、明るい環境ではバックライトを消灯することで、消費電力を低減できる。また暗い環境ではバックライトの点灯により視認可能となる。つまり様々な照明環境下においての使用が想定される携帯電話やデジタルカメラ等の携帯機器の液晶表示装置に好適である。
【０００４】
液晶表示装置を実現する表示モードのひとつにＶＡ(Vertical Alignment)方式がある。ＶＡ方式に用いられる液晶分子は、電圧が印加されていないとき基板面に対して垂直に配向している。この一対の基板を互いにその吸収軸が直交する２枚の偏光板で挟むこと（以下、このような状況をクロスニコルと呼ぶ）によって、バックライトの光は偏光板によって遮断され黒表示となる。
【０００５】
なお、ＶＡ方式の液晶表示装置では、液晶層と偏光板の間に面内方向の屈折率はほぼゼロで、厚み方向の屈折率が面内方向よりも小さい負の屈折率楕円体であるネガティブＣプレート（以下ネガティブＣ−Plate と呼ぶ）と呼ばれる位相差板を配置することで、黒表示時の視野角範囲を拡大することができる。このため、ネガティブＣ−Plate を適用したＶＡ方式の液晶表示装置は広い視野角が要求される大型の液晶テレビなどに応用されている。
【０００６】
ＶＡ方式の液晶表示装置は、中間調表示時の色変化，階調反転等を改善するために、液晶分子の倒れる方向を複数にするマルチドメイン化が行われている。これは、上述したように配向制御用の突起や電極スリットなどによって達成することができる。例えば、画素中央付近に円形の突起を配置することで、全方位にわたって液晶分子を倒すことが可能である。しかしながら、全方位に液晶分子が倒れた場合、クロスニコル下でこれを観測するとそれぞれの偏光板の吸収軸に平行な方向に液晶分子が倒れている領域では、光が透過せずにドメインと呼ばれる黒い線となる。これは透過率を低下させる原因となる。
【０００７】
そこで大型の液晶テレビに応用されているＶＡ方式の液晶表示装置では、偏光板の吸収軸に対して液晶分子がほぼ４５度方向に倒れるような電極構造をしている。しかしながら、このような電極構造は、上述した画素中央に円形の突起を配置した場合に比べ、開口率が低下する。この課題を改善する方法として、特許文献１に、偏光板と１／４波長板を組み合わせた円偏光板を利用する方法が開示されている。この場合、ドメイン領域においても光が透過するため、高い透過率を達成することができる。
【０００８】
さらに実用化の際は、波長依存性が小さい１／４波長板を適用する広帯域円偏光板が採用されている。特許文献２に記載されているように、広帯域円偏光板は偏光板と１／２波長板，１／４波長板を組み合わせることで実現している。
【０００９】
また、例えば特許文献３に記載のように、ＶＡ方式の液晶表示装置では円偏光板を適用することで、半透過型液晶表示装置を実現することが可能である。
【００１０】
【特許文献１】特開平５−１１３５６１号公報
【特許文献２】特開平１０−６８８１６号公報
【特許文献３】特開２００３−２９５１６５号公報
【特許文献４】特開平７−２３００９７号公報
【非特許文献１】日向野敏行，石鍋隆宏，内田龍男：２００４年度液晶討論会(PC05)
【非特許文献２】T.Eguchi, et.al., IDW′04 Proceedings, FMC3-3, p.579.
【発明の開示】
【発明が解決しようとする課題】
【００１１】
上記の通り、円偏光板を用いたＶＡ方式の液晶表示装置は、画素内のドメイン領域が有効利用できる。さらに、携帯機器に有利な半透過型液晶表示装置の実現が可能である。しかしながら、円偏光板を適用するＶＡ方式の液晶表示装置では、ネガティブＣ−Plate を適用しても黒表示時に斜め方向から観察する際に生じる光漏れが十分に抑制できず、コントラスト比が低下してしまう。つまり、円偏光板を用いるＶＡ方式の液晶表示装置では、十分な視野角特性が得られないという課題がある。
【００１２】
本発明は、上記課題を解決するためになされたものであり、その目的は広い視野角範囲にわたって高コントラスト比を達成できる液晶表示装置を提供することである。
【課題を解決するための手段】
【００１３】
上記目的を達成するために、本発明は、第１の基板と第２の基板と、それらの基板に挟持された液晶層と、第１の基板に対して液晶層が配置された側の反対側に配置する第１の偏光板と、第２の基板に対して液晶層が配置された側の反対側に配置する第２の偏光板と、第１の基板と第１の偏光板の間、及び第２の基板と第２の偏光板の間にそれぞれ一枚以上配置された位相差板と、第１の基板と第２の基板のどちらか一方の基板上の液晶層側に配置された画素電極と、前記第１の基板と第２の基板のどちらか他方の基板上の液晶層側に配置された対向電極と、を有し、液晶層は、電圧が印加されていないとき、液晶分子の長軸が第１の基板及び第２の基板に対してほぼ垂直に配向しており、第１の偏光板及び第２の偏光板は偏光層と、偏光層を挟持する一対の保護層とを有し、第１の偏光板及び第２の偏光板の液晶層が配置された側に配置された保護層の厚さ方向のリタデーションＲthが−５ｎｍ以上５ｎｍ以下である液晶表示装置の構成とする。
【００１４】
また、第１の偏光板及び第２の偏光板は偏光層と偏光層に対して液晶層が配置された側の反対側にのみ配置された保護層とを有する構成とする。
【００１５】
また、第１の基板と第１の偏光板の間、及び第２の基板と第２の偏光板の間にそれぞれポジティブＣ−Plate を有する構成とする。
【発明の効果】
【００１６】
広い視野角範囲にわたって高いコントラスト比が得られる液晶表示装置が実現できる。
【発明を実施するための最良の形態】
【００１７】
円偏光板を用いたＶＡ方式の液晶表示装置は、黒表示時に斜め方向から観察する際、光漏れが発生する。このため、斜め方向ではコントラスト比が低下するという課題がある。液晶表示装置に使用する偏光板は、偏光層と偏光層を保護するための保護フィルムによって構成されている。前記保護フィルムは、トリアセチルセルロース（以下ＴＡＣと呼ぶ）フィルムからなる。このＴＡＣフィルムには面内方向の屈折率はほぼゼロで、厚み方向の屈折率が面内方向よりも小さい負の屈折率楕円体、つまりネガティブＣ−Plate とみなすことができる。
【００１８】
円偏光板を用いないＶＡ方式の液晶表示装置では、偏光板の保護層であるＴＡＣフィルムがネガティブＣ−Plate として機能する場合、元々、斜め方向での光漏れを低減するために配置するネガティブＣ−Plate の機能の一部を担うことになるため何ら問題を生じない。むしろ、円偏光板を用いないＶＡ方式の液晶表示装置では、偏光板のＴＡＣフィルムのネガティブＣ−Plate としての機能は斜め方向から観察したときの光漏れ防止のために積極的に利用されるため不可欠な部材であると言える。
【００１９】
一方、円偏光板を用いるＶＡ方式の液晶表示装置では、偏光板と液晶層との間に位相差板が配置される。さらにそれとは別に斜め方向での光漏れ防止のためのネガティブＣ−
Plate を配置する。つまり、円偏光板を用いたＶＡ方式の液晶表示装置では、偏光板とネガティブＣ−Plate との間には位相差板が存在する。この場合、偏光板の保護層である
ＴＡＣフィルムとネガティブＣ−Plate の間には位相差を生じる光学部材（位相差板）があるためＴＡＣフィルムのネガティブＣ−Plate としての機能は斜め方向での光漏れ抑制のために有効には機能しない。むしろ、斜め方向に進む光に対して、ＴＡＣフィルムを通過する際に生じる不要な位相差に起因して黒表示時に光漏れが生じ、コントラスト比の低下要因になる。
【００２０】
そこで、上記問題を解決するために偏光板の保護層としてＴＡＣフィルムの代わりに、全方位にわたってほぼ等方的な光学特性を示すフィルムを使用する、もしくは保護層を無くすことで改善できる。さらに、広帯域円偏光板を実現するための１／２波長板として、Ｎｚ係数が０以上１未満の１／２波長板を使用することで、光漏れをより小さくすることができる。つまり、本発明に係る１／２波長板はｎx＞ｎz＞ｎy の関係を有するものとする。
【００２１】
以下図面を用いて各実施例を説明する。
【実施例１】
【００２２】
本実施例は、円偏光板を適応したＶＡ方式の液晶表示装置において、偏光板の保護層としてＴＡＣフィルムの代わりに、全方位にわたりほぼ等方的な光学特性を示すフィルムを使用することで、広い視野角範囲にわたってコントラスト比を向上させる効果がある。
【００２３】
図１は本発明の液晶表示装置の断面構造を示す概略図である。
【００２４】
本発明の液晶表示装置は、第１の偏光板２９と第２の偏光板３０との間に配置する液晶セル２８によって構成される。第１の偏光板２９と液晶セル２８の間には、３枚の位相差板が配置される。第１の偏光板２９側から、第１の位相差板３１，第２の位相差板３２，第１のネガティブＣ−Plate３５ が配置される。同様に第２の偏光板３０と液晶セル２８の間にも３枚の位相差板が配置され、液晶セル２８側から、第２のネガティブＣ−Plate３６，第３の位相差板３３，第４の位相差板３４が配置される。さらに、第２の偏光板
３０の液晶セル２８の反対側には、バックライトユニット３７を配置する。
【００２５】
つまり、第１の基板１０と位相差板との間、第２の基板１１と位相差板との間に、それぞれネガティブＣ−Plate （第１のネガティブＣ−Plate３５，第２のネガティブＣ−
Plate３６）を配置する構成とする。
【００２６】
第１の位相差板３１と第４の位相差板３４の位相差は１／２波長である、つまり偏光板に対して液晶層が配置された側に配置された位相差板の位相差は１／２波長であることが望ましい。第１の位相差板３１と第４の位相差板３４は、ポリカーボネートやノルボルネン系樹脂などが用いられる。
【００２７】
第２の位相差板３２と第３の位相差板３３の位相差は１／４波長である、つまり液晶層に対して偏光板が配置された側に配置された位相差板の位相差は１／４波長であることが望ましい。第２の位相差板３２と第３の位相差板３３は、ポリカーボネートやノルボルネン系樹脂等の材料が用いられる。
【００２８】
第１のネガティブＣ−Plate３５ は、セルロースアセテート，セルロースアセテートブチレート等のセルロースアシレート類，ポリカーボネート，ポリオレフィン，ポリスチレン，ポリエステル等の材料を使用することができる。総合的にみるとセルロースアシレート類が望ましく、特にセルロースアセテートが望ましい。
【００２９】
第２のネガティブＣ−Plate３６は、第１のネガティブＣ−Plate３５と同様の材料を使用することができる。第１のネガティブＣ−Plate３５と第２のネガティブＣ−Plate３６のＲthはほぼ等しいことが望ましい。
【００３０】
バックライトユニット３７は、光源であるＬＥＤと導光板，拡散板等によって構成される。ＬＥＤは白色が好ましいが、ＲＧＢ三色のＬＥＤを使用することもできる。尚、バックライトユニット３７は、液晶セルを裏面から照明することができるものであれば良く、光源や構造はこれに限定されるものではない。例えば、光源としてＣＣＦＬを使用することもできる。
【００３１】
図５は第１の偏光板２９の断面構造を示す概略図である。第１の偏光板２９は、延伸されたＰＶＡ(Poly Vinyl Alcohol)層からなる第１の偏光層３９と、第１の偏光層を挟持して保護する保護層として機能する第１の保護フィルム３８と第２の保護フィルム４０とから構成されている。これらは液晶セル２８側から、第２の保護フィルム４０，第１の偏光層３９，第１の保護フィルム３８の順に配置する。
【００３２】
図６は第２の偏光板３０の断面構造を示す概略図である。第２の偏光板３０は第１の偏光板と同様、延伸されたＰＶＡ層からなる第２の偏光層４２と、第２の偏光層を挟持して保護する保護層として機能する第３の保護フィルム４１と第４の保護フィルム４３とから構成されている。これらは液晶セル２８側から、第３の保護フィルム４１，第２の偏光層４２，第４の保護フィルム４３の順に配置する。第１の偏光板２９の吸収軸と第２の偏光板３０の吸収軸がほぼ直交するように配置されている。
【００３３】
図２は図４に示されたＡ−Ａ′間の液晶セル２８の断面構造を示す概略図である。
【００３４】
液晶セル２８は、第１の基板１０と第２の基板１１を有している。第１の基板１０と第２の基板１１は、液晶層２１を挟持する。第１の基板１０は液晶層２１が配置された側にカラーフィルタ１６と共通電極１２と第１の配向膜１４とを有する。また、第２の基板
１１は液晶層２１が配置された側に画素電極１３と第２の配向膜１５を有する。第１の基板１０と第２の基板１１の間には、液晶層２１の厚さを一定に保つための柱状スペーサ
２０を有する。第１の基板１０の液晶層２１に近接する側（本実施例では第１の配向膜
１４上）に配向制御用の突起２２を備える。また、その突起２２に対応する第二の基板
１１の液晶層に近接する側に遮光部１７が配置される。
【００３５】
第１の基板１０及び第２の基板１１は光が透過するために透明であることが望ましく、例えば、ガラスやプラスティックを用いることができる。しかしプラスティックは、空気を通過させてしまうために、チッカ膜などを基板表面に製膜することによってガスバリアを施して用いても良い。
【００３６】
液晶層２１は液晶分子の長軸方向の誘電率がその短軸方向よりも小さい負の誘電異方性を示す液晶組成物から構成される。液晶層２１の液晶材料は室温域を含む広い範囲でネマティック相を示すものを用いる。また、ＴＦＴを用いた駆動条件、例えば解像度がQVGA
（ライン数２４０本）、駆動周波数６０Ｈｚにおいて、保持期間中に透過率を充分に保持し、フリッカを生じないだけの高抵抗率を示すものを使用する。つまり、液晶層２１の抵抗率は１０12Ωcm2以上が望ましく、特に１０13Ωcm2以上であることが望ましい。
【００３７】
カラーフィルタ１６は赤，緑，青の光が透過する赤の領域／緑の領域／青の領域が配列し、例えばストライプ配列やデルタ配列などがある。
【００３８】
共通電極１２は透明な導電性材料からなり、例えばインジウム錫酸化物（以下ＩＴＯと呼ぶ）や酸化亜鉛（ＺｎＯ）が用いられる。
【００３９】
第１の配向膜１４及び第２の配向膜１５は基板表面の液晶分子を垂直に配向させる機能を有する。第１の配向膜１４及び第２の配向膜１５はポリイミド系有機膜であることが望ましいが、ＳｉＯ垂直蒸着膜，界面活性剤やクロム錯体などでも良い。
【００４０】
遮光部１７は配向制御用の突起２２の周辺における液晶配向乱れに起因する光漏れを遮断するために配置される。遮光部１７に用いられる材料は、金属などの不透明材料であり、クロム，タンタル−モリブデン，タンタル，アルミニウム，銅などが好ましい。
【００４１】
配向制御用の突起２２は、電界印加時に倒れる液晶分子の向きを規定するために配置される。配向制御用の突起２２の周辺部では、この配向制御用の突起の傾きに応じて液晶層２１の液晶分子の配向方向が基板法線方向から傾く。配向制御用の突起２２は例えばアクリル系樹脂によって形成される。そのアクリル系樹脂は、フォトエッチングにより突起を形成することができる。しかしながら、ＶＡ方式の液晶表示装置において配向制御方法は、突起形成に限ったものではなく、特許文献４に記載されているような電極スリット構造でも良い。
【００４２】
図３は画素表示領域を構成するマトリクス状に配置された等価回路を示す図である。画素領域には信号配線２３と走査配線２４を有する。一画素は信号配線２３と走査配線２４によって囲まれている領域であり、この画素が複数マトリクス状に配置されている。一画素に少なくとも一つの薄膜トランジスタ４８（以下ＴＦＴと呼ぶ）を有する。信号配線
２３と走査配線２４はほぼ直交して配置され、その交点付近にＴＦＴ４８が配置される。また、一画素に少なくとも一つの蓄積容量４９が配置される。さらに、ＴＦＴ４８はスルーホール２６と接続されている。図３はアクティブマトリクス駆動を例にとって説明しているが、本実施例はパッシブマトリクス駆動でも同様な効果が得られる。
【００４３】
信号配線２３は、液晶層２１を制御するための信号が印加される。信号配線２３に用いられる材料は低抵抗な導電性材料であり、クロム，タンタル−モリブデン，タンタル，アルミニウム，銅などが望ましい。
【００４４】
走査配線２４には、ＴＦＴを制御するための信号が印加される。走査配線２４に用いられる材料は、信号配線２３と同様にクロム，タンタル−モリブデン，タンタル，アルミニウム，銅などが望ましい。
【００４５】
蓄積容量４９は保持された画像信号がリークすることを防止するために配置される。
【００４６】
図４は第２の基板１１の一画素の概略構成を示す平面図である。ＴＦＴ４８は逆スタガ型構造であり、そのチャネル部には半導体層２５有し、画素電極１３とソース電極２７を接続するためにスルーホール２６を有する。また、対向している第１の基板１０に配置されている配向制御用の突起２２とほぼ等しい場所に、遮光部１７が配置される。
【００４７】
画素電極１３は液晶層２１に電界を印加するために配置される。画素電極１３は共通電極１２と同様な材料で構成される。画素電極１３の画素中央付近には電極スリット部４７が設けられる。
【００４８】
ＶＡ方式の液晶表示装置は、中間調表示時の色変化，階調反転等を改善するために、液晶分子の倒れる方向を複数にするマルチドメイン化することが望ましい。本実施例においては、配向制御用の突起２２を中心に全方位にわたって液晶分子が倒れるために、マルチドメインを達成することができる。しかしながら、全方位に液晶分子を倒した場合、クロスニコル下でこれを観測すると偏光板の吸収軸に平行な方向に液晶分子が倒れている領域では、光が透過せずにドメインと呼ばれる黒い線となる。このドメインは透過率を低下させる原因となる。これを改善する方法として、円偏光板を適用する方法がある。円偏光板を使用することで、ドメイン領域においても光を透過させることができる。
【００４９】
また、ＶＡ方式の液晶表示装置では、黒表示時に斜め方向から観察する際の光漏れを低減するために、偏光板２９，３０と液晶層との間にそれぞれネガティブＣ−Plate を配置することが提案されている。ネガティブＣ−Plate は面内方向の屈折率差がほぼゼロで厚み方向の屈折率が面内方向の屈折率よりも小さい光学的に負の屈折率楕円体とみなすことができる光学部材である。厚さ方向のリタデーション（以下Ｒthと呼ぶ）で表わされ次式によって定義される。
【００５０】
【数１】
2006284624.tif 000003
【００５１】
ここでｎx，ｎy，ｎz は、屈折率楕円体の主軸方向の屈折率であり、ｎx，ｎyは面内方向の屈折率、ｎz は厚さ方向の屈折率を示している。またｄは位相差板（ここではネガティブＣ−Plate ）の厚さである。一方、ＶＡ方式の液晶表示装置では黒表示時の液晶層は面内方向の屈折率差がほぼゼロで厚み方向の屈折率が面内方向よりも大きい光学的に正の屈折率楕円体とみなすことができる。つまり、光学的に負の屈折率楕円体とみなすことができるネガティブＣ−Plate は、光学的に正の屈折率楕円体とみなすことができる液晶層を補償することができる。このため、斜め方向での光漏れ抑制のために配置するネガティブＣ−Plate と液晶層の間には他に位相差を生じるような光学部材を配置しないことが望ましい。
【００５２】
液晶表示装置に使用する偏光板は一般にポリビニールアルコール（以下ＰＶＡと呼ぶ）にヨウ素を吸着させ、偏光機能を付与することで実現する偏光膜の両面を、トリアセチルセルロース（以下ＴＡＣと呼ぶ）フィルムからなる保護層で挟んだ構造となっている。一般にＴＡＣフィルムは面内方向での屈折率差がほぼゼロで厚み方向の屈折率が面内方向よりも小さい負の屈折率楕円体、つまりネガティブＣ−Plate とみなすことができる。
【００５３】
円偏光板を用いないＶＡ方式の液晶表示装置では、偏光板の保護層であるＴＡＣフィルムがネガティブＣ−Plate として機能する場合、元々、斜め方向での光漏れを低減するために配置するネガティブＣ−Plate の機能の一部を担うことになるため何ら問題を生じない。むしろ、円偏光板を用いないＶＡ方式の液晶表示装置では、偏光板のＴＡＣフィルムのネガティブＣ−Plate としての機能は斜め方向から観察したときの光漏れ防止のために積極的に利用されるため不可欠な部材であると言える。
【００５４】
一方、円偏光板を用いるＶＡ方式の液晶表示装置では、通常は偏光板と液晶層との間に広帯域円偏光板を達成するための１／４波長板として２枚のポジティブＡプレート（以下ポジティブＡ−Plate と呼ぶ）を配置し、さらにこれとは別に斜め方向での光漏れ防止のためのネガティブＣ−Plate を配置する。ここで、ポジティブＡ−Plate とは、Ｎｚ係数が１.０ である一軸性の位相差板である。Ｎｚ係数は次式によって定義される。
【００５５】
【数２】
2006284624.tif 000004
【００５６】
Ａ−Plate は、ｎx＞ｎy＝ｎzの関係であるため、Ｎｚ係数は１.０である。円偏光板を用いるＶＡ方式の液晶表示装置では、偏光板とネガティブＣ−Plate との間には位相差板が存在する。この場合、偏光板の保護層であるＴＡＣフィルムとネガティブＣ−Plate の間には位相差を生じる光学部材（位相差板）があるためＴＡＣフィルムのネガティブＣ−Plate としての機能は斜め方向での光漏れ抑制のために有効には機能しない。むしろ、斜め方向に進む光に対して、ＴＡＣフィルムを通過する際に生じる不要な位相差に起因して黒表示時に光漏れが生じ、コントラスト比の低下要因になる。
【００５７】
図７は本発明の図１に記載の液晶表示装置に係る位相差板と偏光板の光学軸の関係を示す模式図である。広帯域の円偏光板を達成するためには図７に示したように位相差板を配置する必要がある。第１の位相差板３１と第４の位相差板３４、また第２の位相差板３２と第３の位相差板３３の遅相軸はそれぞれほぼ直交していることが望ましい。さらに、第１及び第２の偏光板の吸収軸と第１乃至第４の位相差板の遅相軸の関係は、第１の偏光板２９の吸収軸を０度とすると、第１の位相差板３１の遅相軸は−１０５度，第２の位相差板３２の遅相軸は１５度，第３の位相差板３３の遅相軸は−７５度，第４の位相差板３４の遅相軸は−１５度，第２の偏光板３０の吸収軸は−９０度となることが望ましい。
【００５８】
本発明で使用する図５及び図６に示した偏光板の第２の保護フィルム４０、及び第３の保護フィルム４１は、斜め方向から観察する際の光漏れを低減するために、特にRthがゼロとなることが望ましい。しかしながら、実際は製造誤差、ばらつき等から−５ｎｍ以上５ｎｍ以下となり、この範囲であれば十分に効果が得られる。第２の保護フィルム４０、及び第３の保護フィルム４１は、従来使用していたＴＡＣフィルムよりもＲthが小さくなる材料、例えばノルボルネン系樹脂のような材料が望ましい。
【００５９】
さらに、黒表示時の斜め方向での光漏れをより軽減するために、第１の位相差板３１と第４の位相差板３４は、Ｎｚ係数が０以上１未満の位相差板を使用することが望ましい。このとき液晶層２１の面内のリタデーション（以下Ｒｅと呼ぶ）と第１のネガティブＣ−Plate３５ と第２のネガティブＣ−Plate３６ のＲthによって、第１の位相差板３１と第４の位相差板３４の最適なＮｚ係数が決定する。
【００６０】
図８は、黒表示時の透過率に対するネガティブＣ−Plate のＲth依存性を示した図である。本発明の斜め方向の光漏れを減少させる効果を確認するために、以下の条件において理論計算を行った。液晶層２１の屈折率異方性Δｎは０.０９９ とし、入射光の波長は
５５０ｎｍとした。液晶層２１の厚さは、３μｍから５μｍとした。また、第１のネガティブＣ−Plate と第２のネガティブＣ−Plate のＲthは等しいものとした。
【００６１】
図８の結果は計算例として、液晶層２１の厚さが３.５μｍの場合である。このとき、光の入射角度は６０度とし、方位角方向は第１の偏光板２９の吸収軸から、０度（図８の（ａ）），３０度（図８の（ｂ）），４５度（図８の（ｃ））の３方向とした。また、第１の位相差板３１と第４の位相差板３４のＮｚ係数を０.１から１.０まで０.１ 刻みで変化させた。結果から黒表示時の透過率はネガティブＣ−Plate のＲthに依存していることがわかる。
【００６２】
図９は黒表示時の透過率が最も低くなるネガティブＣ−Plate のＲthに対する液晶層
２１の厚さ依存性を示した図である。結果から、最適なネガティブＣ−Plate のＲthは液晶層２１の厚さに対してほぼ比例関係になっていることがわかる。
【００６３】
ここで決定された最適なネガティブＣ−Plate のＲthを用いて、コントラスト比の視角特性について検討した。コントラスト比の視角特性は、ＩＳＯ１３４０６−２(Ergonomicrequirement for flat panel display) のClassＩおよびClassIIにより評価した。液晶表示装置の対角を２.２ インチとし、液晶表示装置から目までの距離を３００ｍｍとしたときに、ClassIIのθrenge は基板正面に対し±２２度となる。ClassＩは大勢でディスプレイを見る場合を仮定しており、θrenge は±４０度と定義されている。このそれぞれの
θrenge の範囲における平均コントラスト比を求めた。平均コントラスト比とは、基板面に垂直な方向（０度）からθrenge までの極角範囲におけるコントラスト比を、全方位にわたって面積分した際の平均値である。
【００６４】
図１０はClassＩ（図１０の（ａ））およびClassII（図１０の（ｂ））における平均規格化コントラスト比に対するＮｚ係数依存性を示した図である。平均規格化コントラスト比とは、平均コントラスト比の最大値（この条件では、液晶層２１の厚さが３.５μｍ、Ｎｚ係数が０.４の場合）が１になるように規格化した値である。
【００６５】
図１０に示した通り、Ｎｚ係数がおよそ０.２と０.７付近に変極点が見られる。よって、液晶層２１の厚さを３μｍから５μｍ(このとき液晶の屈折異方性は０.０９９である)、ネガティブＣ−Plate のＲthを８０ｎｍ以上１６０ｎｍ以下としたとき、斜め方向から観察した際の光漏れ低減のためにはＮｚ係数は０.２以上０.７以下の範囲であることが望ましく、特に、液晶層厚さが３.５μｍ、ネガティブＣ−PlateのＲthが９０ｎｍ、１／２波長板のＮｚ係数が０.４ となることが望ましい。
【００６６】
図１１は以下の三つの条件において、第一の偏光板の吸収軸に対して４５度方向のコントラスト比の入射角依存性を示した図である。
（１）第１の位相差板３１と第４の位相差板３４のＮｚ係数が０.４
第２の保護フィルム４０および第３の保護フィルム４１のＲthが０ｎｍ
（２）第１の位相差板３１と第４の位相差板３４のＮｚ係数が０.４
第２の保護フィルム４０および第３の保護フィルム４１のＲthが３７ｎｍ
（３）第１の位相差板３１と第４の位相差板３４のＮｚ係数が１
第２の保護フィルム４０および第３の保護フィルム４１のＲthが３７ｎｍ
図１１に示した通り、斜め方向において（１）＞（２）＞（３）の順で高コントラスト比が得られている。
【００６７】
以上の結果から本発明は、円偏光板を用いるＶＡ方式の液晶表示装置における斜め方向の光漏れを軽減し、広い視野角範囲にわたって高いコントラスト比を得ることができる。
【実施例２】
【００６８】
次に他の実施例について図面を参照にして説明する。ＶＡ方式の液晶表示装置は円偏光板を適用することで、半透過型液晶表示装置を実現することができる。本実施例におけるＶＡ方式の半透過型液晶表示装置の偏光板や位相差板配置は実施例１と同様であり、実施例１と同様な効果が得られる。
【００６９】
図１２はＶＡ方式の半透過液晶表示装置における図１３に示されたＢ−Ｂ′間の液晶セル２８の断面構造を示す概略図である。本発明の半透過型液晶表示装置は、一画素に透過領域（図１２のＴ部）と反射領域（図１２のＲ部）を有する。液晶セル２８は、第１の基板１０と液晶層２１と第２の基板１１を有し、第１の基板１０と第２の基板１１は、液晶層２１を挟持する。第１の基板１０は液晶層２１側にカラーフィルタ１６と共通電極１２と第１の配向膜１４を有する。また第２の基板１１は液晶層２１側に、画素電極１３と第２の配向膜１５を有する。第２の基板１１の液晶層２１側の反射領域には反射板１９が配置される。さらに、第１の基板１０の液晶層２１側の反射領域には段差部１８を有する。段差部１８には、液晶層２１の厚さを一定に保つための柱状スペーサ２０を備える。共通電極１２の液晶層２１に近接する側に配向制御用の突起２２を備える。また、第２の基板１１の液晶層に近接する側に遮光部１７が配置される。
【００７０】
図１３は第２の基板１１の一画素の概略構成を示す平面図である。半透過液晶表示装置には、入射光を反射するための反射板が必要である。そこで、図１３に示したように反射領域には、入射光を反射するための反射板１９が配置される。
【００７１】
反射板１９は、反射表示を行うために第１の基板側から入射される外光を反射するために設けられる。反射板１９は、反射光を拡散させるために凹凸を有することが望ましい。また、反射板１９は、透過領域と反射領域を同電位とするために、画素電極１３と接続される。よって反射板１９は、反射領域の画素電極としての役割も果ために、導電性が高い金属で形成されることが望ましい。特に、反射板１９は可視領域における反射率が高く、導電性にも優れている、銀，アルミニウムなどで形成されることが望ましい。
【００７２】
段差部１８はレジスト材料によって構成される。半透過型液晶表示装置において、透過領域の電圧に対する透過率特性と反射領域の電圧に対する反射率特性を一致させるためには液晶層２１の反射領域のＲｅを透過領域のＲｅに対して２分の１にすることが望ましい。このため、反射領域に段差を設け、反射領域の液晶層２１の厚さを透過領域の液晶層
２１の厚さのおよそ２分の１にすることが望ましい。
【００７３】
以上の構成において、本発明の半透過液晶表示装置の透過領域は、実施例１の液晶表示装置の透過領域と光学的には実質的に同等である。ゆえに、偏光板の保護フィルムは光学的にほぼ等方的なフィルムを使用し、第１の位相差板３１と第４の位相差板３４は、Ｎｚ係数が０以上１未満の位相差板を使用することで、本実施例の半透過液晶表示装置の透過特性は、実施例１と同様な効果が得られる。よって、円偏光板を用いるＶＡ方式の半透過液晶表示装置における斜め方向の光漏れを軽減し、広い視野角範囲にわたって高いコントラスト比を得ることができる。
【実施例３】
【００７４】
次に他の実施例について図面を参照して説明する。本実施例は、ネガティブＣ−Plate とＴＡＣフィルムの間にＴＡＣフィルムの位相差を補償するポジティブＣ−Plate を配置することで、保護層の位相差を０にしたときと同様な効果を得ることができる。
【００７５】
図１４は本実施例の液晶表示装置の構造を示す断面構造を示すが概略図である。本発明の液晶表示装置は、第１の偏光板２９と第２の偏光板３０との間に配置する液晶セル２８によって構成される。第１の偏光板２９と液晶セル２８の間には、４枚の位相差板が配置される。第１の偏光板２９側から、第１のポジティブＣ−プレート（以下、ポジティブＣ−Plate と呼ぶ）４４，第１の位相差板３１，第２の位相差板３２，第１のネガティブＣ−Plate３５ が配置される。同様に第２の偏光板３０と液晶セル２８の間にも３枚の位相差板が配置され、液晶セル２８に近接する側から、第２のネガティブＣ−Plate３６ ，第３の位相差板３３，第４の位相差板３４，第２のポジティブＣ−Plate４５ が配置される。さらに、第２の偏光板３０の液晶セル２８の反対側には、バックライトユニット３７を配置する。
【００７６】
つまり、第１の基板１０と第１の偏光板２９の間、及び第２の基板１１と第２の偏光板３０の間にそれぞれポジティブＣ−Plate （第１のポジティブＣ−Plate４４ ，第２のポジティブＣ−Plate４５ ）を有する構成とする。
【００７７】
第１の位相差板３１乃至第４の位相差板３４の構成は実施例１もしくは２に記載されているものと同様である。
【００７８】
第１のポジティブＣ−Plate４４ は、面内方向の屈折率差がほぼゼロで厚み方向の屈折率が面内方向よりも大きい光学的に正の屈折率楕円体とみなすことができる。ネガティブＣ−Plate とみなすことができるＴＡＣフィルムとポジティブＣ−Plate の光学特性を同等にすることでＴＡＣフィルムにおいて生じる位相差を補償することができる。しかしながら、たとえ第１のポジティブＣ−Plate４４ のＲthと第２の保護フィルム４０のＲthをほぼ同等にしたとしても、屈折率楕円体の主軸方向の屈折率が異なる場合は、それぞれの位相差板は異なる角度リタデーション特性を有することが指摘されている(非特許文献１)。
【００７９】
そこで、第１のポジティブＣ−Plate４４ と第２の保護フィルム４０において、以下で定義される位相差板の角度特性を表わす設計パラメータＴｚをほぼ等しくすることが望ましい。
【００８０】
【数３】
2006284624.tif 000005
【００８１】
第１のポジティブＣ−Plate４４ は垂直配向させた高分子液晶をフィルム状にする、もしくは単軸的に圧縮されたポリマーまたはアセテートセルロースを成形することにより製造できる。
【００８２】
第２のポジティブＣ−Plate４５は第１のポジティブＣ−Plate４４と同様、第２のポジティブＣ−Plate４５ のＴｚは第２の保護フィルム４０のＴｚとほぼ同等にすることが望ましい。第２のポジティブＣ−Plate４５ は垂直配向させた高分子液晶をフィルム状にする、もしくは単軸的に圧縮されたポリマーまたはアセテートセルロースを成形することにより製造可能である。
【００８３】
液晶セル２８の構成は実施例１もしくは２に記載されているものと同様である。
【００８４】
本実施例はポジティブＣ−Plate を利用することで、実施例１および２で記載されている偏光板の保護層であるＴＡＣフィルムの代替品として光学的に等方的なフィルムを用いる事とほぼ同様な効果が得られる。よって、円偏光板を用いるＶＡ方式の液晶表示装置における斜め方向の光漏れを軽減し、広い視野角範囲にわたって高いコントラスト比を得ることができる。
【実施例４】
【００８５】
次に他の実施例について図面を参照にして説明する。本実施例は、図１と同様の液晶表示装置において、液晶セル２８の構成を変更したものである。図１５は本実施例の液晶表示装置の断面構造を示す概略図である。本実施例の液晶セル２８は液晶層２１を挟持している第１の基板１０と第２の基板１１を有している。第１の基板１０もしくは第２の基板１１はガラス以外のプラスティックやポリエーテルサルホン（以下ＰＥＳと呼ぶ）などの第１のフィルム状基板４６もしくは第２のフィルム状基板５０でも良い。このとき、同時に第１のガスバリア５１と第２のガスバリア５２を配置する。
【００８６】
第１のフィルム状基板４６もしくは第２のフィルム状基板５０は、第１のネガティブＣ−Plate３５ もしくは第２のネガティブＣ−Plate３６ などの位相差板を基板の代替品として用いても良い。つまり、第１のフィルム状基板４６もしくは第２のフィルム状基板
５０は、どちらか一方または、両方が、それぞれ面内方向の屈折率差がほぼゼロで、厚み方向の屈折率が面内方向よりも大きい光学的に正の屈折率楕円体である機能を有する構成でも良い。
【００８７】
また、第１のフィルム状基板４６もしくは第２のフィルム状基板５０は、どちらか一方または、両方が、それぞれ１／４波長の位相差及び／または１／２波長の位相差を有する構成としても良い。
【００８８】
第１のガスバリア５１は、第１のフィルム状基板４６は空気を通過させてしまうために、これを防ぐために配置する。第１のガスバリア５１はチッカ膜などを基板表面に製膜することで作製できる。
【００８９】
第２のガスバリア５２は、第１のガスバリアと同様に、第２のフィルム状基板５０は空気を通過させてしまうために、これを防ぐために配置する。第２のガスバリア５２は第１のガスバリア５１同様に、シリコンナイトライド膜などを基板表面に製膜することで作製できる。位相差板を代替基板とする場合も、ガスバリアを施す必要がある。これは位相差板表面にシリコンナイトライド膜等を形成すればよい。
【００９０】
液晶セル２８の構成は実施例１乃至３に記載されているものと同様である。
【００９１】
また、位相差板配置も実施例１に記載されているものと同様である。ここで使用する代替基板に位相差が有る場合は、位相差板配置を再考慮する必要がある。例えば、代替基板の位相差がネガティブＣ−Plate と同等であれば、第１のネガティブＣ−Plate３５ と第２のネガティブＣ−Plate３６ を除去もしくはＲthを小さくすることができる。
【００９２】
カラーフィルタ１６は、非特許文献２に記載されているような、Roll−to−Roll技術を用いることでフィルム基板上に形成することができる。
【００９３】
本実施例は、第１の基板１０と第２の基板１１のどちらか一方、もしくはその両方にプラスティック基板やフィルム基板を使用することで、液晶表示装置の軽量化と薄型化、さらには広い視野角範囲にわたって高いコントラスト比を得ることができる。
【実施例５】
【００９４】
次に他の実施例について図面を参照にして説明する。本実施例は、円偏光板を適応したＶＡ方式の液晶表示装置において、偏光板の保護層であるＴＡＣフィルムをなくすことによって、広い視野角範囲にわたってコントラスト比を向上させる効果がある。
【００９５】
図１６及び図１７は、本実施例の液晶表示装置で使用する第１の偏光板２９及び第２の偏光板３０の断面構造を示す概略図である。
【００９６】
従来の偏光板は、保護層であるＴＡＣフィルムを有している。しかしながら、上述したように、円偏光板を有する垂直配向方式の液晶表示装置においてＴＡＣフィルムの位相差がコントラスト比低下の原因となる。そこで、本実施例の液晶表示装置に用いられる位相差板に保護層の機能を持たせ、偏光板の液晶層側に配置されている保護層を無くす、つまり、第１の偏光層３９に対して液晶層２１が配置された側とは反対側にのみ第１の保護フィルム３８を配置し、第２の偏光層４２に対して液晶層２１が配置された側とは反対側にのみ第４の保護フィルム４３を配置する構成とすることで、実施例１と同様な効果が得られる。
【００９７】
第１の偏光板２９及び第２の偏光板３０は、第２の保護フィルム４０及び第３の保護フィルム４１を持たず、第１の偏光層３９及び第２の偏光層４２を直接位相差板の上に配置する。もしくは、保護フィルムを必要としない偏光層を使用すれば良く、これは例えば酵素合成アミロースなどによって達成できる。
【００９８】
液晶セル２８の構成は実施例１乃至３に記載されているものと同様である。
【００９９】
また、位相差板配置は実施例１に記載されているものと同様である。
【０１００】
本実施例は、液晶表示装置の薄型化，低コスト化を達成しながら、広い視野角範囲にわたって高いコントラスト比を得ることができる。
【図面の簡単な説明】
【０１０１】
【図１】本発明に係る液晶表示装置の実施例１の断面構造を示す概略図である。
【図２】実施例１の液晶セルの断面構造を示す概略図である。
【図３】実施例１の画素表示領域を構成するマトリクス状に配置された等価回路を示す図である。
【図４】実施例１の第２の基板の一画素の概略構成を示す平面図である。
【図５】実施例１の第１の偏光板の断面構造を示す概略図である。
【図６】実施例１の第２の偏光板の断面構造を示す概略図である。
【図７】実施例１の液晶表示装置に係る位相差板と偏光板の光学軸の関係を示す模式図である。
【図８】実施例１の黒表示時の透過率に対するネガティブＣ−Plate のＲth依存性を示した図である。
【図９】実施例１の黒表示時の透過率が最も低くなるネガティブＣ−Plate のＲthに対する液晶層の厚さ依存性を示した図である。
【図１０】実施例１のClassＩおよびClassIIにおける平均規格化コントラスト比に対するＮｚ係数依存性を示した図である。
【図１１】実施例１の第一の偏光板の吸収軸に対して４５度方向のコントラスト比の入射角依存性を示した図である。
【図１２】本発明に係る液晶表示装置の実施例２の液晶セルの断面構造を示す概略図である。
【図１３】実施例２の第２の基板の一画素の概略構成を示す平面図である。
【図１４】本発明に係る液晶表示装置の実施例３の構造を示す断面構造を示すが概略図である。
【図１５】本発明に係る液晶表示装置の実施例４の断面構造を示す概略図である。
【図１６】本発明に係る液晶表示装置の実施例５の第１の偏光板の断面構造を示す概略図である。
【図１７】本発明に係る液晶表示装置の実施例５の第２の偏光板の断面構造を示す概略図である。
【符号の説明】
【０１０２】
１０…第１の基板、１１…第２の基板、１２…第１の画素電極、１３…第２の画素電極、１４…第１の配向膜、１５…第２の配向膜、１６…カラーフィルタ、１７…ブラックマトリクス、１８…段差部、１９…反射板、２０…柱状スペーサ、２１…液晶層、２２…配向制御用の突起、２３…信号配線、２４…走査配線、２５…半導体層、２６…スルーホール、２７…ソース電極、２８…液晶セル、２９…第１の偏光板、３０…第２の偏光板、
３１…第１の位相差板、３２…第２の位相差板、３３…第３の位相差板、３４…第４の位相差板、３５…第１のネガティブＣ−Plate 、３６…第２のネガティブＣ−Plate 、３７…バックライトユニット、３８…第１の保護フィルム、３９…第１の偏光層、４０…第２の保護フィルム、４１…第３の保護フィルム、４２…第２の偏光層、４３…第４の保護フィルム、４４…第１のポジティブＣ−Plate 、４５…第２のポジティブＣ−Plate 、４６…第１のフィルム状基板、４７…電極スリット部、４８…ＴＦＴ、４９…蓄積容量、５０…第２のフィルム状基板、５１…第１のガスバリア、５２…第２のガスバリア。
【図１】
2006284624.tif 000006
【図２】
2006284624.tif 000007
【図３】
2006284624.tif 000008
【図４】
2006284624.tif 000009
【図５】
2006284624.tif 000010
【図６】
2006284624.tif 000011
【図７】
2006284624.tif 000012
【図８】
2006284624.tif 000013
【図９】
2006284624.tif 000014
【図１０】
2006284624.tif 000015
【図１１】
2006284624.tif 000016
【図１２】
2006284624.tif 000017
【図１３】
2006284624.tif 000018
【図１４】
2006284624.tif 000019
【図１５】
2006284624.tif 000020
【図１６】
2006284624.tif 000021
【図１７】
2006284624.tif 000022